【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
会議イベント環境システム（“ＣＥＥＳ”）を介して会議イベントに加わるユーザを認証し、承認するための、コンピュータにより実施される方法であって、当該コンピュータにより実施される方法は、コンピュータにより実施される動作を行うステップを含み、前記動作は、
ＣＥＥＳコンピュータにおいて、前記ユーザから、前記会議イベントに加わる要求を受信するステップと、
前記ＣＥＥＳコンピュータにおいて、前記ユーザが前記会議イベントの招待された参加者であるかを判定するステップと、
前記ユーザが前記会議イベントの招待された参加者であると判定したことに応答して、前記ユーザが前記ＣＥＥＳコンピュータの前記会議イベントへの参加を認める権限を有するかを判定するステップと、
前記ユーザが前記ＣＥＥＳコンピュータの前記会議イベントへの参加を認める権限を有すると判定したことに応答して、前記ＣＥＥＳコンピュータを前記ユーザの代わりに前記会議イベントに加えるステップと、
前記ユーザが前記ＣＥＥＳコンピュータの前記会議イベントへの参加を認める権限を有さないと判定したことに応答して、前記ＣＥＥＳコンピュータの前記会議イベントへの参加を認める権限を有する第２のユーザが前記ＣＥＥＳコンピュータの前記会議イベントへの参加を認めるのを待ち、それから、前記ＣＥＥＳコンピュータを前記ユーザの代わりに前記会議イベントに加えるステップと、
を含み、
前記ＣＥＥＳコンピュータが前記ユーザの代わりに前記会議イベントに加わったことに応答して、前記ＣＥＥＳコンピュータが前記ユーザの権限を継承する、
方法。
【請求項２】
前記ＣＥＥＳコンピュータにおいて、スケジューリングサーバコンピュータから会議イベントスケジューリング情報を受信するステップであり、前記会議イベントスケジューリング情報は、スケジュールされており、かつ前記ＣＥＥＳコンピュータを介して加わることが可能である１つ以上の会議イベントを識別する、ステップ、をさらに含む請求項１に記載の方法。
【請求項３】
ＣＥＥＳコンソールアプリケーションを用いて、前記会議イベントスケジューリング情報を前記ユーザに提示するステップ、をさらに含み、前記ユーザから、前記会議イベントに加わる要求を受信するステップは、前記会議イベントに関連付けられた会議イベントスケジューリング情報の選択のユーザ入力を受信するステップを含む、請求項２に記載の方法。
【請求項４】
前記会議イベントに関連付けられた前記会議イベントスケジューリング情報は、日付、開始時刻、終了時刻、及び招待された参加者のリストを含む、請求項３に記載の方法。
【請求項５】
前記ユーザが前記会議イベントの招待された参加者であるかを判定するステップは、
前記ＣＥＥＳコンピュータにおいて、前記ユーザに、前記ＣＥＥＳコンピュータを介して前記会議イベントに加わるために認証クレデンシャルを提供するように促すステップと、
前記ＣＥＥＳコンピュータにおいて、認証クレデンシャルのユーザ入力を受信するステップと、
前記ＣＥＥＳコンピュータにおいて、前記認証クレデンシャルが有効であるかを判定するステップと、
前記認証クレデンシャルが有効であると判定したことに応答して、前記ユーザが前記会議イベントの招待された参加者であると判定し、前記ＣＥＥＳコンピュータを前記ユーザの代わりに前記会議イベントに加えるステップと、
を含む、請求項１に記載の方法。
【請求項６】
会議イベント環境システム（“ＣＥＥＳ”）を介して会議イベントに加わるユーザを認証し、承認するための、コンピュータにより実施される方法であって、当該コンピュータにより実施される方法は、コンピュータにより実施される動作を行うステップを含み、前記動作は、
会議開催サーバコンピュータにおいて、前記ＣＥＥＳのＣＥＥＳコンピュータ上で実行しているＣＥＥＳコンソールアプリケーションを、会議イベントロビーに加えるステップと、
前記会議開催サーバコンピュータにおいて、前記ＣＥＥＳコンソールアプリケーションを介してユーザエンドポイントから招待を受信するステップであり、前記ユーザエンドポイントは前記ユーザに関連付けられる、ステップと、
前記会議開催サーバコンピュータにおいて、前記会議イベントに関して前記ユーザに対して規定された権限に基づいて、前記ユーザエンドポイントが前記会議イベントロビーを回避し、前記会議イベントに加わることができるかを判定するステップと、
前記ユーザエンドポイントが前記会議イベントロビーを回避することができないと判定したことに応答して、
前記ユーザエンドポイントを前記会議イベントロビーに加えるステップと、
前記ユーザが前記ＣＥＥＳコンソールアプリケーションを介して前記会議イベントロビーに加わったことを反映するように、前記会議イベントロビーにおける前記ＣＥＥＳコンソールアプリケーションの表示名を変更するステップと、
前記ユーザエンドポイントを前記会議イベントロビーから切断するステップと、
前記ＣＥＥＳコンソールアプリケーションの前記会議イベントへの参加を認める権限を有する第２のユーザによって参加を認められた後、前記ＣＥＥＳコンソールアプリケーションを前記会議イベントに加えるステップと、
前記ＣＥＥＳコンソールアプリケーションに、前記会議イベントに関して前記ユーザに対して規定された権限を継承させるステップと、
前記ユーザエンドポイントが前記会議イベントロビーを回避することができると判定したことに応答して、
前記ＣＥＥＳコンソールアプリケーションを前記会議イベントに加えるステップと、
前記ユーザが前記ＣＥＥＳコンソールアプリケーションを介して前記会議イベントに加わったことを反映するように、前記会議イベントにおける前記ＣＥＥＳコンソールアプリケーションの表示名を変更するステップと、
を含む、方法。
【請求項７】
前記権限は、出席者権限を含む、請求項６に記載の方法。
【請求項８】
前記ユーザエンドポイントが前記会議イベントロビーを回避することができると判定したことに応答して、前記ＣＥＥＳコンソールアプリケーションを前記会議イベントに加えるステップの後、前記ＣＥＥＳコンソールアプリケーションに、前記会議イベントに関して前記ユーザに対して規定された権限を継承させるステップ、をさらに含む請求項６に記載の方法。
【請求項９】
コンピュータ読取可能命令を含むコンピュータプログラムであって、前記コンピュータ読取可能命令は、コンピュータにより実行されると、前記コンピュータに、
会議イベント環境システム（“ＣＥＥＳ”）を会議イベントロビーに加えるステップと、
前記ＣＥＥＳを介してユーザエンドポイントから送信されたセッション開始プロトコル（“ＳＩＰ”）ＩＮＶＩＴＥを受信するステップであり、前記ユーザエンドポイントは前記ＣＥＥＳを介して会議イベントに加わろうとしているユーザに関連付けられる、ステップと、
前記会議イベントに関して前記ユーザに対して規定された権限に基づいて、前記ユーザエンドポイントが前記会議イベントロビーを回避し、前記会議イベントに加わることができるかを判定するステップと、
前記ユーザエンドポイントが前記会議イベントロビーを回避することができないと判定したことに応答して、
前記ユーザエンドポイントを前記会議イベントロビーに加えるステップと、
前記ユーザが前記ＣＥＥＳを介して前記会議イベントロビーに加わったことを反映するように、前記会議イベントロビーにおける前記ＣＥＥＳの表示名を変更するステップと、
前記ユーザエンドポイントを前記会議イベントロビーから切断するステップと、
前記会議イベントに関して主催者又は発表者権限を有する別のユーザによって参加を認められると、前記ＣＥＥＳを前記会議イベントに加えるステップと、
前記ＣＥＥＳに、前記ユーザに対して規定された権限を継承させるステップであり、前記ユーザに対して規定された権限は出席者権限を含む、ステップと、
前記ユーザエンドポイントが前記会議イベントロビーを回避することができると判定したことに応答して、
前記ＣＥＥＳを前記会議イベントに加えるステップと、
前記ＣＥＥＳに、前記会議イベントに関して前記ユーザに対して規定された権限を継承させるステップであり、前記ユーザに対して規定された権限は主催者又は発表者権限を含む、ステップと、
前記ユーザが前記ＣＥＥＳを介して前記会議イベントに加わったことを反映するように、前記会議イベントにおける前記ＣＥＥＳの表示名を変更するステップと、
を実行させる、コンピュータプログラム。
【請求項１０】
前記コンピュータにより実行されると、前記コンピュータに、前記ＣＥＥＳを前記会議イベントロビーに加えるステップの前に、前記ユーザに関連付けられた参加者装置を前記会議イベントに加えるステップを実行させるコンピュータ読取可能命令、をさらに含み、
前記コンピュータにより実行されると、前記コンピュータに、前記ユーザエンドポイントが前記会議イベントロビーを回避することができると判定したことに応答して、前記ＣＥＥＳを前記会議イベントに加えるステップを実行させる命令は、前記ユーザエンドポイントが前記会議イベントロビーを回避することができると判定したことに応答して、前記参加者装置を介して前記ＣＥＥＳを前記会議イベントに加える命令を含む、
請求項９に記載のコンピュータプログラム。